(57)【特許請求の範囲】
【請求項１】
建物の外壁開口部に固定される窓枠体と、この窓枠体内部を上下、左右、または上下左右に仕切る仕切り材と、この仕切り材で仕切った前記窓枠体内部の区画ごとに支持される複数のパネル体とを備えたサッシ窓であって、
前記複数のパネル体は、上框、下框、および左右の縦框と、これら上下左右の各框材で囲まれた内部に支持された面材とを有した障子であって、これらの障子を開閉操作不能に支持して固定障子とするか、あるいは開閉可能に支持して可動障子とするかが、前記仕切り材で仕切った窓枠体内部の区画ごとに選択可能に構成され、
前記仕切り材の室内側側面には、内装仕上げ材を取り付けるための仕上げ材取付部が設けられ、この仕上げ材取付部に取り付けた内装仕上げ材で当該仕切り材の室内面が隠蔽可能に構成され、
前記障子の框材は、前記仕切り材の室内側側面および当該仕切り材に取り付けた前記内装仕上げ材の室外側に重なって設けられているサッシ窓。
【請求項２】
前記内装仕上げ材は、前記仕切り材の仕上げ材取付部に仕切り材用下地材を介して取り付けられ、
前記仕上げ材取付部は、前記仕切り材の室内側側面から室内側に突出して形成され、または取り付けられ、当該仕上げ材取付部の室内側端部には、前記仕切り材用下地材を室内側から室外側に貫通する固着具と係合する係合部が設けられている請求項１に記載のサッシ窓。
【請求項３】
前記仕切り材用下地材の室内側端面は、前記外壁開口部端縁に設けられる内装仕上げ材を取り付けるための外壁部用下地材の室内側端面と略同一見込み位置に設けられている請求項２に記載のサッシ窓。
【請求項４】
前記仕切り材で仕切った区画のうちの少なくとも１つの区画には、前記パネル体の室内側に沿って支持される機能面材が設けられており、
前記仕切り材の室内側側面には、前記機能面材の周縁部を固定するための面材固定部が前記仕上げ材取付部に隣接して設けられ、
前記仕切り材用下地材のうち、前記機能面材が設けられる区画に面した仕切り材用下地材には、当該機能面材の周縁部を受け入れる切欠きが形成されるとともに、この仕切り材用下地材に取り付けられる前記内装仕上げ材の室外側端部は、当該機能面材の周縁部によって位置決めされている請求項２または請求項３に記載のサッシ窓。
【発明の詳細な説明】
【技術分野】
【０００１】
本発明は、サッシ窓に関し、詳しくは、仕切り材で仕切った窓枠体内部の区画に複数のパネル体を設けたサッシ窓に関する。
【背景技術】
【０００２】
窓枠の内部が方立（縦骨）で左右に仕切られた連窓や、無目で上下に仕切られた段窓、方立および無目で上下左右に仕切られて格子状の外観を有した窓等において、方立や無目で仕切った区画内に固定障子（嵌め殺し障子）や可動障子を配置したサッシ窓が知られている（例えば、特許文献１参照）。
特許文献１に記載された連窓のサッシ窓においては、方立で左右に仕切られた窓枠内部の各区画に可動障子や嵌め殺し障子（固定障子）が取り付けられるとともに、これらの各障子の縦框で方立の室外面が隠蔽され、外観上、方立が見えないように構成されている。
【０００３】
【特許文献１】特開平７−５４５４６号公報
【発明の開示】
【発明が解決しようとする課題】
【０００４】
しかしながら、前記特許文献１に記載のサッシ窓では、窓枠や方立等の金属部材が室内側から見えるため、内観の意匠性が劣ってしまうという問題がある。
そして、内観の意匠性を高めるために窓枠や方立の室内面に仕上げ材を取り付けようとした場合において、外壁開口部に近接した窓枠部分に関しては、外壁の下地材を延長するなど、仕上げ材を支持することは比較的容易であるものの、方立の室内面に仕上げ材を取り付けるのは困難である。すなわち、方立の室内面に沿って仕上げ材を取り付けようとしても、通常、内装仕上げ材は方立とは異なる材料で構成されているため、取り付け性が悪く施工が非常に煩雑になってしまう。また、仕上げ材を取り付けるために、方立に取付孔やビス孔等を設けてしまうと、サッシ窓の気密性や水密性を著しく損なってしまう可能性があり、この点でも方立の室内面に仕上げ材を取り付けることが困難となる。
【０００５】
本発明の目的は、内観の意匠性に優れ、仕切り材の室内側における内装仕上げ材の取付施工性を向上させることができるサッシ窓を提供することにある。
【課題を解決するための手段】
【０００６】
本発明のサッシ窓は、建物の外壁開口部に固定される窓枠体と、この窓枠体内部を上下、左右、または上下左右に仕切る仕切り材と、この仕切り材で仕切った前記窓枠体内部の区画ごとに支持される複数のパネル体とを備えたサッシ窓であって、前記複数のパネル体は、上框、下框、および左右の縦框と、これら上下左右の各框材で囲まれた内部に支持された面材とを有した障子であって、これらの障子を開閉操作不能に支持して固定障子とするか、あるいは開閉可能に支持して可動障子とするかが、前記仕切り材で仕切った窓枠体内部の区画ごとに選択可能に構成され、前記仕切り材の室内側側面には、内装仕上げ材を取り付けるための仕上げ材取付部が設けられ、この仕上げ材取付部に取り付けた内装仕上げ材で当該仕切り材の室内面が隠蔽可能に構成され、前記障子の框材は、前記仕切り材の室内側側面および当該仕切り材に取り付けた前記内装仕上げ材の室外側に重なって設けられていることを特徴とする。
【０００７】
ここで、窓枠体内部を仕切る仕切り材としては、窓枠体内部を上下に仕切る横仕切り材である無目や桟、および窓枠体内部を左右に仕切る縦仕切り材である方立や縦骨であり、これらの横仕切り材および縦仕切り材を格子状に組み合わせることで、窓枠体内部を上下左右に仕切ってもよい。
【０００８】
このような本発明によれば、仕切り材の室内側側面に仕上げ材取付部を設け、この仕上げ材取付部に内装仕上げ材を取り付けることで、内装仕上げ材の取付作業を効率よく実施することができる。そして、内装仕上げ材を直接的に仕切り材の室内側側面に取り付けないことで、仕切り材にビス孔等を設ける必要がなくなり、サッシ窓の気密性や水密性を損ねることなく、内装仕上げ材を取り付けることができる。
さらに、仕切り材の室内面を内装仕上げ材で隠蔽することで、室内側から仕切り材が見えない、あるいは見えにくくすることができ、外壁の室内側側面や開口部端縁等に設ける仕上げ材と質感の異なる仕切り材を目立たなくしてサッシ窓の意匠性を良好にすることができる。
また、窓枠体内部の区画ごとに固定障子および可動障子のいずれかが選択可能に構成されていることで、サッシ窓に要求される機能に応じて各種開閉形式あるいは非開閉の窓を構成することができる。そして、障子の框材が仕切り材の室内側側面および内装仕上げ材の室外側に重なって設けられている、つまり隠し框とされていることで、室内側から框材が目立たなくでき、サッシ窓の意匠性をより一層良好にすることができる。
【０００９】
この際、本発明のサッシ窓では、前記内装仕上げ材は、前記仕切り材の仕上げ材取付部に仕切り材用下地材を介して取り付けられ、前記仕上げ材取付部は、前記仕切り材の室内側側面から室内側に突出して形成され、または取り付けられ、当該仕上げ材取付部の室内側端部には、前記仕切り材用下地材を室内側から室外側に貫通する固着具と係合する係合部が設けられていることが好ましい。
このような構成によれば、仕上げ材取付部を仕切り材の室内側側面から室内側に突出して形成し、または別体のアタッチメント等で構成した仕上げ材取付部を仕切り材の室内側側面に取り付け、その室内側端部に係合部を設けたことで、固着具としてビス等を用いて係合部に螺合（係合）して固着させる場合でも、ビス孔が仕切り材の室内側側面に設けられることがないため、気密性や水密性を確保することができる。
【００１０】
さらに、本発明のサッシ窓では、前記仕切り材用下地材の室内側端面は、前記外壁開口部端縁に設けられる内装仕上げ材を取り付けるための外壁部用下地材の室内側端面と略同一見込み位置に設けられていることが好ましい。
このような構成によれば、仕切り材の室内面に取り付ける内装仕上げ材と外壁開口部端縁に設ける内装仕上げ材とを各々取り付けるための仕切り材用下地材および外壁部用下地材の室内側側面の見込み位置を揃えたことで、共通の内装仕上げ材を用いれば、両方の内装仕上げ材の室内位置を揃えて連続性および統一感のある内観を得ることができ、意匠性をさらに向上させることができる。
【００１１】
また、本発明のサッシ窓では、前記仕切り材で仕切った区画のうちの少なくとも１つの区画には、前記パネル体の室内側に沿って支持される機能面材が設けられており、前記仕切り材の室内側側面には、前記機能面材の周縁部を固定するための面材固定部が前記仕上げ材取付部に隣接して設けられ、前記仕切り材用下地材のうち、前記機能面材が設けられる区画に面した仕切り材用下地材には、当該機能面材の周縁部を受け入れる切欠きが形成されるとともに、この仕切り材用下地材に取り付けられる前記内装仕上げ材の室外側端部は、当該機能面材の周縁部によって位置決めされていることが好ましい。
ここで、機能面材としては、網戸等の通気面材や、ブラインド、ロールスクリーン、カーテン等の遮光面材などが例示できる。そして、機能面材の周縁部としては、網戸の枠体や、ブラインド等を開閉案内する案内枠あるいはブラインド等を支持する支持枠などが例示できる。
このような構成によれば、仕切り材用下地材の切欠き部分によって機能面材の周縁部を受け入れることで、機能面材の周縁部が室内側から見えない、あるいは見えにくくすることができ、内観の意匠性を損ねることなくパネル体の室内側に機能面材を設けることができる。また、機能面材の周縁部で内装仕上げ材の室外側端部を位置決めすることで、内装仕上げ材の取り付け精度を向上させることができる。
【発明を実施するための最良の形態】
【００１３】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、主要構成部品の断面を示すハッチングを省略する場合がある。
【００１４】
〔第１実施形態〕
図１は、本発明の第１実施形態に係るサッシ窓１０が設けられた建物の外壁１の開口部を示す縦断面図である。図２は、外壁１の開口部を示す横断面図である。図３および図４は、それぞれサッシ窓１０の一部を拡大して示す縦断面図および横断面図である。
図１、２において、建物の外壁１は、外壁躯体としての木造軸組み工法による軸組み材２と、この軸組み材２の室外面に設けられた外壁仕上げ材である吹付けモルタル３と、軸組み材２の室内面に設けられた内壁材である石膏ボード４とを有して構成されている。そして、外壁１の開口部室内側には、開口端縁に沿って内装仕上げ材である木製の額縁材（ケーシング）５が四周連続して取り付けられている。この額縁材５は、石膏ボード４に沿った室内側側面部５Ａと、この室内側側面部５Ａから見込み方向室外側に延びる見込み面部５Ｂとで構成され、見込み面部５Ｂは、軸組み材２に沿って設けられた外壁部用下地材２Ａに固定されている。
なお、外壁躯体としては、木造の軸組み材２に限らず、２×４工法における壁パネルや鉄筋コンクリート造の壁であってもよく、また、外壁仕上げ材は、吹付けモルタル３に限らず、予め板状に成形したセメント成形板や窯業系サイディング等を外壁躯体の室外面に取り付けたものでもよい。
【００１５】
サッシ窓１０は、上枠１１、下枠１２、および左右の縦枠１３からなる窓枠（窓枠体）１４と、この窓枠１４の内部を上下左右に仕切る仕切り材としての無目（横仕切り材）１５および方立（縦仕切り材）１６と、これらの無目１５および方立１６で仕切った窓枠１４内部の区画ごとに支持される複数のパネル体としての障子２０とを備えて構成されている。複数の障子２０は、窓枠１４内部に固定された固定障子２０Ａと、窓枠１４内部に開閉可能に支持された可動障子（外開き障子）２０Ｂとが、それぞれ仕切られた窓枠１４内部の区画ごとに選択的に配置され、可動障子２０Ｂの室内側には、機能面材である収納式の網戸３０が設けられている。そして、固定障子２０Ａおよび可動障子２０Ｂは、それぞれ共通化された構成部材である上框２１、下框２２、左右の縦框２３と、これら上下左右の框材２１，２２，２３の内部に嵌め込んだガラスパネル２４とを有して形成されている。
【００１６】
固定障子２０Ａは、その下框２２に固定したセッティングブロック２２１を下枠１２（または無目１５）上面に位置決めするとともに、無目１５（または上枠１１）に取り付けた板ばね２１１に上框２１を係止することで、窓枠１４内部の区画に建て込まれる。さらに、固定障子２０Ａは、その左右の縦框２３から見付け方向外側に突出したピン２３１が、方立１６（または縦枠１３）に固定した受け材２３２に係止されることで、窓枠１４、無目１５および方立１６に対して移動不能に固定されるようになっている。このような固定障子２０Ａの上框２１を無目１５（または上枠１１）に設けた気密材１５６，１５７（または気密材１１１，１１２）に当接させ、下框２２を下枠１２（または無目１５）に設けた気密材１２１，１２２（または気密材１５６，１５７）に当接させ、縦框２３を方立１６（または縦枠１３）に設けた気密材１６６，１６７（または気密材１３１，１３２）に当接させることで、固定障子２０Ａにおける気密性および水密性が確保できるようになっている。
【００１７】
一方、可動障子２０Ｂは、その上框２１が上枠１１（または無目１５）にヒンジ２１２を介して連結されるとともに、下框２２が無目１５（または下枠１２）にヒンジ２２２を介して連結されることで、開閉自在に支持されている。そして、可動障子２０Ｂの一方の縦框２３に設けたハンドル２３３を操作することで、室外側に向かって開放可能かつ閉じた状態で施錠可能になっている。このような可動障子２０Ｂを閉じた状態において、その上框２１を上枠１１（または無目１５）に設けた気密材１１１，１１２（または気密材１５６，１５７）に当接させ、下框２２を無目１５（または下枠１２）に設けた気密材１５６，１５７（または気密材１２１，１２２）に当接させ、縦框２３を縦枠１３および方立１６に設けた気密材１３１，１３２，１６６，１６７に当接させることで、可動障子２０Ｂにおける気密性および水密性が確保できるようになっている。
【００１８】
次に、図５および図６も参照してサッシ窓１０における無目１５および方立１６の構造、これらの室内側側面に設けられる内装仕上げ構造４０について詳しく説明する。
図５および図６は、サッシ窓１０における無目１５および方立１６と、これらに固定される内装仕上げ構造４０を分解して示す縦断面図および横断面図である。
無目１５および方立１６の室内側には、前述した外壁１の開口部端縁に設けられる額縁材５と同様の内装仕上げ材である額縁材４１，４２と、これらの額縁材４１，４２を取り付けるための仕切り材用下地材である下地材４３，４４とを有した内装仕上げ構造４０が設けられている。額縁材４１，４２は、下地材４３，４４の室内側側面に石膏ボード４５を介して固定される室内側側面部４１Ａ，４２Ａと、下地材４３，４４の見込み面に固定される見込み面部４１Ｂ，４２Ｂとで構成されている。また、下地材４３，４４は、それぞれ無目１５および方立１６の室内側に固定されるようになっている。
【００１９】
図３および図５において、無目１５は、両端部が縦枠１３に固定される無目本体部１５１と、この無目本体部１５１の室外側に固定される無目モール部１５２とを有して構成されている。無目本体部１５１は、それぞれアルミ押出形材製の室内部材１５３および室外部材１５４と、これらの室内部材１５３と室外部材１５４とを連結する樹脂製の断熱部材１５５とを有して形成されている。そして、無目本体部１５１は、室内部材１５３の室内側側面部１５３Ａと、室外部材１５４および断熱部材１５５とによって全体略角筒状に形成されている。また、室内部材１５３は、室内側側面部１５３Ａが上下に延長された水切り片部１５３Ｂ，１５３Ｃを有しており、これら上下の水切り片部１５３Ｂ，１５３Ｃ先端室外側側面に固定障子２０Ａや可動障子２０Ｂと当接する気密材１５６が取り付けられている。さらに、室外部材１５４の室外側端部の上下にも、気密材１５７が取り付けられている。
【００２０】
無目本体部１５１における室内部材１５３の室内側側面部１５３Ａには、室内側に突出した上下一対の仕上げ材取付部としての下地材固定部１５３Ｄが形成されている。この下地材固定部１５３Ｄは、下地材４３を固定するためのもので、その室内側端部には、下地材４３固定用の固着具であるビス４３１を螺合する被螺合部（係合部）１５３Ｅが形成されている。また、室内部材１５３の室内側側面部１５３Ａには、網戸３０の周縁部である網戸横枠３１を固定するための面材固定部１５３Ｆが下地材固定部１５３Ｄに隣接して設けられ、これらの面材固定部１５３Ｆよりも水切り片部１５３Ｂ，１５３Ｃ先端寄りには、無目本体部１５１を縦枠１３に固定するためのビスホール１５３Ｇが設けられている。網戸横枠３１は、収納式の網戸３０におけるネット３２および網戸框３３（図２参照）を左右スライド自在に案内するレール部３１１と、額縁材４１および下地材４３を位置決めする見切り片部３１２とを有して構成されるとともに、ビスホール１５３Ｇに係合され、かつ面材固定部１５３Ｆにビス止め固定されるようになっている。
【００２１】
そして、下地材４３は、無目１５の室内側に沿って延びる木製部材であって、無目本体部１５１の下地材固定部１５３Ｄ室内側端と、網戸３０が設けられない側（図３、５の下側であって、固定障子２０Ａ側）の面材固定部１５３Ｆおよびビスホール１５３Ｇと、網戸横枠３１の見切り片部３１２とに当接した状態で、当該下地材４３を見込み方向に貫通するビス４３１を被螺合部１５３Ｅに螺合することによって無目１５に固定されている。すなわち、下地材４３は、網戸３０が設けられない側において、下地材固定部１５３Ｄよりも室内側に突出して面材固定部１５３Ｆおよびビスホール１５３Ｇに当接する突出部４３２と、網戸３０が設けられる側（図３、５の上側であって、可動障子２０Ｂ側）において、突出部４３２を切り欠いて形成され、網戸横枠３１の見切り片部３１２に当接する切欠き部４３３とを有して形成されている。これにより、下地材４３を無目１５に固定すれば、網戸横枠３１が下地材４３の切欠き部４３３に受け入れられるようになっている。そして、下地材４３の室内側側面は、図１に示すように、外壁１の軸組み材２および外壁部用下地材２Ａの室内側側面と略同一の見込み位置に設けられており、これにより、額縁材４１の室内側側面部４１Ａと額縁材５の室内側側面部５Ａとが略同一平面内に揃って位置するようになっている。
【００２２】
また、網戸３０が設けられない側において、額縁材４１の見込み面部４１Ｂ室外側端部は、無目１５の水切り片部１５３Ｃ室内側側面に当接し、網戸３０が設けられる側において、額縁材４１の見込み面部４１Ｂ室外側端部は、網戸横枠３１の見切り片部３１２に当接し、それぞれの見込み面部４１Ｂが位置決めされるようになっている。このように取り付けた額縁材４１の上下の見込み面部４１Ｂにおいて、その外面同士間の距離は、無目１５の室内部材１５３における室内側側面部１５３Ａの上下寸法（つまり水切り片部１５３Ｂ，１５３Ｃ先端間距離）と略同一となっており、これにより額縁材４１によって無目１５の室内側側面部１５３Ａが室内側から見えない（隠蔽される）ようになっている。また、固定障子２０Ａの上框２１および可動障子２０Ｂの下框２２は、各々の見付け方向内端縁が無目１５の水切り片部１５３Ｂ，１５３Ｃ先端と略同一高さ位置に設けられており、上框２１および下框２２が額縁材４１および水切り片部１５３Ｂ，１５３Ｃと見込み方向に重なって室内側から見えない隠し框となっている。
【００２３】
以上のような無目１５の上側に対向する上枠１１は、図１に示すように、無目１５の水切り片部１５３Ｂと上下略対称の水切り片部１１３を備え、外壁１の開口上縁部における額縁材５の見込み面部５Ｂは、上側の網戸横枠３１の見切り片部３１２に当接して位置決めされている。すなわち、網戸横枠３１は、上枠１１の水切り片部１１３と、外壁部用下地材２Ａおよび額縁材５の見込み面部５Ｂとの間に介挿されている。そして、可動障子２０Ｂの上框２１は、額縁材５および水切り片部１１３と見込み方向に重なって室内側から見えない隠し框となっている。
一方、無目１５の下側に対向する下枠１２は、無目１５の水切り片部１５３Ｃと上下略対称の水切り片部１２３を備え、外壁１の開口下縁部における額縁材５の見込み面部５Ｂは、下枠１２の水切り片部１２３に当接して位置決めされている。そして、固定障子２０Ａの下框２２は、額縁材５および水切り片部１２３と見込み方向に重なって室内側から見えない隠し框となっている。
【００２４】
図４および図６において、方立１６は、上下端部が上枠１１および無目１５、または無目１５および下枠１２に固定される方立本体部１６１と、この方立本体部１６１の室外側に固定される方立モール部１６２とを有して構成されている。方立本体部１６１は、それぞれアルミ押出形材製の室内部材１６３および室外部材１６４と、これらの室内部材１６３と室外部材１６４とを連結する樹脂製の断熱部材１６５とを有して形成されている。そして、方立本体部１６１の室内部材１６３は、その室内側側面部１６３Ａが左右に延長された水切り片部１６３Ｂ，１６３Ｃを有しており、これら左右の水切り片部１６３Ｂ，１６３Ｃ先端室外側側面に固定障子２０Ａや可動障子２０Ｂと当接する気密材１６６が取り付けられている。さらに、方立モール部１６２の室内側端部の左右にも、気密材１６７が取り付けられている。
【００２５】
方立本体部１６１における室内部材１６３の室内側側面部１６３Ａには、室内側に突出した中空状の仕上げ材取付部としての下地材固定部１６３Ｄが形成されている。この下地材固定部１６３Ｄは、下地材４４を固定するためのもので、その室内側側面には、下地材４４固定用の固着具であるビス４４１を螺合する被螺合部（係合部）１６３Ｅが形成されている。また、被螺合部１６３Ｅの見込み方向両側面には、網戸３０の周縁部である網戸縦枠３４を固定するための面材固定部１６３Ｆが設けられている。網戸縦枠３４は、断面略Ｌ字形に形成され、方立１６の水切り片部１６３Ｂ，１６３Ｃの室内側に対向する見切り片部３４１を備え、この見切り片部３４１と水切り片部１６３Ｂ，１６３Ｃとの間に、ネット３２および網戸框３３（図２参照）、または網戸框受３５を収納可能に構成されている。
【００２６】
一方、下地材４４は、方立１６の室内側に沿って延びる木製部材であって、方立本体部１６１の下地材固定部１６３Ｄ室内側側面と、網戸３０が設けられない側（図４、６の右側であって、固定障子２０Ａ側）の水切り片部１６３Ｃと、網戸縦枠３４の見切り片部３４１とに当接した状態で、当該下地材４４を見込み方向に貫通するビス４４１を被螺合部１６３Ｅに螺合することによって方立１６に固定されている。すなわち、下地材４３は、前述の下地材４３と同様に、網戸３０が設けられない側の突出部４４２と、網戸３０が設けられる側（図４、６の左側であって、可動障子２０Ｂ側）の切欠き部４４３とを有して形成されている。これにより、下地材４４を方立１６に固定すれば、網戸縦枠３４が下地材４４の切欠き部４４３に受け入れられるようになっている。そして、下地材４４の室内側側面は、前述の下地材４３の室内側側面と、図２に示すように、外壁１の軸組み材２および外壁部用下地材２Ａの室内側側面と略同一の見込み位置に設けられており、これにより、額縁材４２の室内側側面部４２Ａと額縁材５の室内側側面部５Ａとが略同一平面内に揃って位置するようになっている。
【００２７】
また、網戸３０が設けられない側において、額縁材４２の見込み面部４２Ｂ室外側端部は、方立１６の水切り片部１６３Ｃ室内側側面に当接し、網戸３０が設けられる側において、額縁材４２の見込み面部４２Ｂ室外側端部は、網戸縦枠３４の見切り片部３４１に当接し、それぞれの見込み面部４２Ｂが位置決めされるようになっている。このように取り付けた額縁材４２の左右の見込み面部４２Ｂにおいて、その外面同士間の距離は、方立１６の室内部材１６３における室内側側面部１６３Ａの左右寸法（つまり水切り片部１６３Ｂ，１６３Ｃ先端間距離）と略同一となっており、これにより額縁材４２によって方立１６の室内側側面部１６３Ａが室内側から見えない（隠蔽される）ようになっている。また、固定障子２０Ａおよび可動障子２０Ｂにおける縦框２３の見付け方向内端縁は、方立１６の水切り片部１６３Ｂ，１６３Ｃ先端と略同一見付け位置に設けられており、縦框２３が額縁材４２および水切り片部１６３Ｂ，１６３Ｃと見込み方向に重なって室内側から見えない隠し框となっている。
【００２８】
以上のような方立１６の側方に対向する縦枠１３は、図２に示すように、方立１６の水切り片部１６３Ｂと左右略対称の水切り片部１３３を備え、外壁１の開口側縁部における額縁材５の見込み面部５Ｂは、図中、左側の網戸縦枠３４の見切り片部３４１に当接して位置決めされている。すなわち、網戸縦枠３４は、縦枠１３の水切り片部１３３と、外壁部用下地材２Ａおよび額縁材５の見込み面部５Ｂとの間に介挿されている。そして、可動障子２０Ｂの縦框２３は、額縁材５および水切り片部１３３と見込み方向に重なって室内側から見えない隠し框となっている。
一方、図示を省略するが、固定障子２０Ａの縦框２３が縦枠１３に支持される場合、つまり網戸３０が設けられない場合において、外壁１の開口側縁部における額縁材５の見込み面部５Ｂは、縦枠１３の水切り片部１３３に当接して位置決めされ、固定障子２０Ａの縦框２３は、額縁材５および水切り片部１３３と見込み方向に重なって室内側から見えない隠し框となっている。
【００２９】
このような本実施形態によれば、以下のような効果がある。
（１）すなわち、無目１５および方立１６の室内側側面部１５３Ａ，１６３Ａに下地材固定部１５３Ｄ，１６３Ｄが設けられ、これらの下地材固定部１５３Ｄ，１６３Ｄに下地材４３，４４が固定されているので、額縁材４１，４２を容易かつ確実に無目１５および方立１６の室内側に取り付けることができる。そして、額縁材４１，４２で無目１５および方立１６の室内側側面を隠蔽することで、室内側に金属製の部材が露出しない良好な内観のサッシ窓１０を構成することができる。
【００３０】
（２）また、無目１５および方立１６の下地材固定部１５３Ｄ，１６３Ｄに固定した下地材４３，４４の室内側側面の見込み位置が、外壁１の開口部四周の軸組み材２および外壁部用下地材２Ａの室内側側面と揃えられるとともに、これらの下地材４３，４４に取り付けた額縁材４１，４２が、外壁１の開口部四周の額縁材５と共通部材から構成されていることで、外壁１とサッシ窓１０との内観意匠の統一性および連続性が高められ、より一層意匠性を向上させることができる。
【００３１】
（３）さらに、固定障子２０Ａおよび可動障子２０Ｂの上下左右の框材２１，２２，２３が額縁材５，４１，４２で隠蔽される隠し框となっているので、室内側からサッシ窓１０を見た場合に、金属製の框材２１，２２，２３が目立たず、格子状の額縁材５，４１，４２とガラスパネル２４とから構成されたような高級感のある内観を得ることができる。
【００３２】
（４）また、無目１５および方立１６の下地材固定部１５３Ｄ，１６３Ｄが室内側側面部１５３Ａ，１６３Ａから室内側に突出して形成されていることで、これらの下地材固定部１５３Ｄ，１６３Ｄの被螺合部１５３Ｅ，１６３Ｅにビス４３１，４４１を螺合しても、室内側側面部１５３Ａ，１６３Ａに孔を開けなくてよいため、サッシ窓１０の気密性および水密性を損ねずに下地材４３，４４を固定することができる。
【００３３】
（５）そして、下地材４３，４４を室内側から貫通するビス４３１，４４１で下地材４３，４４が下地材固定部１５３Ｄ，１６３Ｄに固定されるので、下地材４３，４４の固定作業を容易に実施することができる。
【００３４】
（６）また、下地材４３，４４に切欠き部４３３，４４３が形成され、この切欠き部４３３，４４３に網戸３０の網戸横枠３１および網戸縦枠３４が受け入れられているので、網戸横枠３１および網戸縦枠３４を室内側から隠すことができ、意匠性を良好に維持することができる。。
【００３５】
（７）さらに、網戸横枠３１および網戸縦枠３４を無目１５および方立１６の面材固定部１５３Ｆ，１６３Ｆに固定した後に、下地材４３，４４および額縁材４１，４２の固定作業を実施することができ、サッシ窓１０の取付作業と内装仕上げ構造４０の取付作業とが錯綜することなく、施工手順を円滑にすることができる。
【００３６】
（８）そして、網戸横枠３１および網戸縦枠３４や無目１５および方立１６の水切り片部１５３Ｂ，１５３Ｃ，１６３Ｂ，１６３Ｃに額縁材４１，４２の室外側端部が位置決めされているので、額縁材４１，４２の位置決め精度を高めて、サッシ窓１０内観の意匠性をさらに向上させることができる。
【００３７】
〔第２実施形態〕
次に、本発明の第２実施形態に係るサッシ窓について、図７および図８に基づいて説明する。
図７および図８は、それぞれ第２実施形態のサッシ窓１０の一部を拡大して示す縦断面図および横断面図である。
本実施形態のサッシ窓１０は、前述の第１実施形態と構成が相違する無目１７および方立１８を備え、それ以外は第１実施形態と略同様の構成を備えている。すなわち、サッシ窓１０の窓枠１４は、その内部が無目（横仕切り材）１７および方立（縦仕切り材）１８で上下左右に仕切られるとともに、これらの無目１７および方立１８で仕切った窓枠１４内部の区画ごとに複数のパネル体としての障子２０支持されている。そして、本実施形態では、無目１７の上下および方立１８の左右の全ての区画に固定障子２０Ａが配置されている。以下、第１実施形態との相違点である無目１７および方立１８の構造、およびこれらの室内側側面に設けられる内装仕上げ構造４０について詳しく説明する。
【００３８】
図７において、無目１７は、その上側の固定障子２０Ａを支持する無目上部部材１７１と、下側の固定障子２０Ａを支持する無目下部部材１７２と、無目上部部材１７１と無目下部部材１７２とに挟まれて室内側に延びる無目中間部材１７３とを有し、これら３つのアルミ押出形材製の部材がビスで一体に結合されて構成されている。無目中間部材１７３は、室内側側面部１７３Ａと、この室内側側面部１７３Ａから室内側に突出した上下一対の下地材固定部１７３Ｂとを有して形成されている。無目上部部材１７１の室内側端部には、下地材固定部１７３Ｂに隣接した面材固定部１７１Ａと、上方に延びる水切り片部１７１Ｂとが形成されている。そして、無目上部部材１７１の水切り片部１７１Ｂの上端部室外側側面と、無目上部部材１７１の室外側上端部とには、それぞれ固定障子２０Ａと当接する気密材１７６，１７７が取り付けられている。また、無目下部部材１７２の室内側端部にも無目上部部材１７１と上下対称に、下地材固定部１７３Ｂに隣接した面材固定部１７２Ａと、下方に延びる水切り片部１７２Ｂとが形成され、水切り片部１７２Ｂの下端部室外側側面と無目下部部材１７２の室外側下端部とに気密材１７６，１７７が取り付けられている。
【００３９】
そして、内装仕上げ構造４０の下地材４３Ａは、無目中間部材１７３の下地材固定部１７３Ｂ室内側端部と、無目上部部材１７１および無目下部部材１７２の面材固定部１７１Ａ，１７２Ａとに当接した状態で、下地材固定部１７３Ｂ先端の被螺合部１７３Ｃに螺合するビス４３１によって無目１７に固定されている。すなわち、下地材４３Ａは、前記第１実施形態の下地材４３における突出部４３２を上下に有して形成されたもので、下地材４３のような切欠き部４３３を有していない。そして、下地材４３Ａに取り付けられる額縁材４１の上下の見込み面部４１Ｂ室外側端部は、それぞれ無目上部部材１７１および無目下部部材１７２の水切り片部１７１Ｂ，１７２Ｂ室内側側面に当接して位置決めされるようになっている。このような額縁材４１によって無目１７が室内側から見えない（隠蔽される）ようになっているとともに、固定障子２０Ａの上框２１および下框２２が室内側から見えない隠し框となっている。
【００４０】
図８において、方立１８は、その左右の固定障子２０Ａを支持する一対の方立側面部材１８１と、これら一対の方立側面部材１８１に挟まれた方立中間部材１８２とを有し、これら３つのアルミ押出形材製の部材がビスで一体に結合されて構成されている。方立側面部材１８１は、室内側側面部１８１Ａと、この室内側側面部１８１Ａから側方に延びる水切り片部１８１Ｂとを有して形成されている。方立中間部材１８２は、方立側面部材１８１の室内側側面部１８１Ａよりも室内側に突出した下地材固定部１８２Ａを有して形成されている。そして、方立側面部材１８１の水切り片部１８１Ｂの先端部室外側側面と、方立側面部材１８１の室外側端部近傍とには、それぞれ固定障子２０Ａと当接する気密材１８６，１８７が取り付けられている。
【００４１】
そして、内装仕上げ構造４０の下地材４４Ａは、方立中間部材１８２の下地材固定部１８２Ａ室内側端と、方立側面部材１８１の室内側側面部１８１Ａとに当接した状態で、下地材固定部１８２Ａ先端の被螺合部１８２Ｂに螺合するビス４４１によって方立１８に固定されている。すなわち、下地材４４Ａは、前記第１実施形態の下地材４４における突出部４４２を左右に有して形成されたもので、下地材４４のような切欠き部４４３を有していない。そして、下地材４４Ａに取り付けられる額縁材４２の左右の見込み面部４２Ｂ室外側端部は、それぞれ方立側面部材１８１の水切り片部１８１Ｂ室内側側面に当接して位置決めされるようになっている。このような額縁材４２によって方立１８が室内側から見えない（隠蔽される）ようになっているとともに、固定障子２０Ａの縦框２３が室内側から見えない隠し框となっている。
このような本実施形態によれば、前述の（１）〜（８）の効果と略同様の効果を奏することができる。
【００４２】
なお、本発明は、前記各実施形態に限定されるものではなく、本発明の目的を達成できる他の構成等を含み、以下に示すような変形等も本発明に含まれる。
例えば、前記実施形態のサッシ窓１０では、窓枠１４内部を無目１５，１７および方立１６，１８によって上下左右に仕切ったが、これに限らず、方立を省略して無目１５，１７により窓枠１４内部を上下に仕切るだけでもよく、また無目を省略して方立１６，１８により窓枠１４内部を左右に仕切るだけでもよい。
また、無目１５，１７や方立１６，１８で仕切った窓枠１４内部の各区画に設けるパネル体としては、固定障子２０Ａや可動障子２０Ｂに限らず、窓枠１４および無目や方立に直接支持される嵌め殺しのガラスパネルであってもよい。また、可動障子２０Ｂとしては、開き形式のものに限らず、縦（横）辷り出し形式や突き出し形式、内（外）倒し形式等、任意の開閉形式の障子が採用可能である。さらに、１つの区画内に複数の障子を設けてもよく、例えば、２枚の障子を左右スライド自在に支持させて引違い窓を区画内に構成したり、障子を上下スライド自在に支持させて上げ下げ窓を区画内に構成したりすることも可能である。
【００４３】
また、前記実施形態では、木製の額縁材４１，４２を下地材４３，４４，４３Ａ，４４Ａに取り付けたが、内装仕上げ材としては額縁材４１，４２に限られず、例えば、外壁１の内装仕上げに応じて適宜変更可能であり、壁紙（クロス）を貼ったり、塗り壁材で仕上げたりすることができる。このようなクロス貼りや塗り壁とする場合には、前記実施形態において下地材４３，４４，４３Ａ，４４Ａの室内側側面のみに取り付けた石膏ボード４５や木板材を、下地材の三方を囲むように見込み面にも取り付け、その表面にクロスを貼ったり塗り壁材を塗ったりすればよい。このように各種の内装仕上げ材に対応させる場合でも、下地材４３，４４，４３Ａ，４４Ａが共通に用いることができ、下地材４３，４４，４３Ａ，４４Ａが無目や方立に固定されていることで、各種の内装仕上げ材を容易に施工することができる。
また、前記実施形態では、仕上げ材取付部である下地材固定部１５３Ｄ，１６３Ｄ，１７３Ｂ，１８２Ａを無目１５，１７や方立１６，１８と一体に形成したが、これに限らず、無目や方立と別体のアタッチメントとして形成した仕上げ材取付部を無目や方立の室内側側面に取り付けてもよい。
【００４４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４５】
【図１】本発明の第１実施形態に係るサッシ窓を示す縦断面図である。
【図２】前記サッシ窓を示す横断面図である。
【図３】前記サッシ窓の一部を拡大して示す縦断面図である。
【図４】前記サッシ窓の一部を拡大して示す横断面図である。
【図５】前記サッシ窓における無目および内装仕上げ構造を分解して示す縦断面図である。
【図６】前記サッシ窓における方立および内装仕上げ構造を分解して示す横断面図である。
【図７】本発明の第２実施形態に係るサッシ窓における無目および内装仕上げ構造を示す縦断面図である。
【図８】前記第２実施形態のサッシ窓における無目および内装仕上げ構造を示す横断面図である。
【符号の説明】
【００４６】
１…外壁、２Ａ…外壁部用下地材、５…内装仕上げ材である額縁材、１０…サッシ窓、１４…窓枠（窓枠体）、１５，１７…仕切り材である無目、１６，１８…仕切り材である方立、２０…パネル体である障子、２０Ａ…固定障子、２０Ｂ…可動障子、２１…上框、２２…下框、２３…縦框、２４…面材であるガラスパネル、３０…機能面材である網戸、３１…周縁部である網戸横枠、３４…周縁部である網戸縦枠、４１，４２…内装仕上げ材である額縁材、４３，４４…仕切り材用下地材である下地材、１５３Ａ，１６３Ａ，１７３Ａ，１８１Ａ…室内側側面部、１５３Ｄ，１６３Ｄ，１７３Ｂ，１８２Ａ…仕上げ材取付部である下地材固定部、１５３Ｅ，１６３Ｅ，１７３Ｃ，１８２Ｂ…係合部である被螺合部、４３１，４４１…固着具であるビス、４３３，４４３…切欠き部。
【図１】
0004620570.tif 000002
【図２】
0004620570.tif 000003
【図３】
0004620570.tif 000004
【図４】
0004620570.tif 000005
【図５】
0004620570.tif 000006
【図６】
0004620570.tif 000007
【図７】
0004620570.tif 000008
【図８】
0004620570.tif 000009